(57)【要約】【課題】  異なるメディアの信号処理においてメモリの共用化を図り、メモリを効率よく使用することができるディジタルデータ記録装置および記録再生装置を提供する。【解決手段】  ＤＶＤおよびＢＤ記録装置において、ＤＶＤに記録する場合には、外部から入力されたデータにスクランブルを施して一旦ＤＲＡＭ４に記憶し、ＤＲＡＭ４からデータを読み出してＰＩ符号付加を行うと同時にＰＯ符号をＳＲＡＭ６上に生成し、生成したＰＯ符号をＤＲＡＭ４に転送し、ＤＲＡＭ４から読み出したデータと誤り訂正符号を変調して光ディスクに記録する。ＢＤに記録する場合には、外部から入力されたデータにスクランブルを施して一旦ＤＲＡＭ４に記憶し、ＤＲＡＭ４からデータを読み出して誤り訂正符号付加を行い、ＤＲＡＭ４からデータを読み出してＳＲＡＭ６上でインタリーブを行い、変調して光ディスクに記録する。【選択図】  図１
2006164377.tif 000002
【特許請求の範囲】
【請求項１】
データにスクランブルを施して誤り訂正符号を付加し、変調して記録媒体にデータを記録するディジタルデータ記録装置であって、
データを一時的に記憶する記憶手段と、該データのスクランブルを行うスクランブル手段と、スクランブルが行われたデータに誤り訂正符号を付加する誤り訂正符号付加手段と、誤り訂正が付加されたデータを変調する変調手段とを有し、
前記記憶手段として、データのバッファリングを行う第１のメモリと、前記誤り訂正符号付加手段により生成した誤り訂正符号を記憶する第２のメモリと、前記第１と第２のメモリ間のデータ転送を行う転送手段とを備え、
外部から入力されたデータにスクランブルを施して一旦前記第１のメモリに記憶し、前記第１のメモリからデータを読み出して第１の誤り訂正符号付加を行うと同時に第２の誤り訂正符号を前記第２のメモリ上に生成し、生成した第２の誤り訂正符号を前記第１のメモリに転送し、前記第１のメモリから読み出したデータと誤り訂正符号を変調して前記記録媒体に記録することを特徴とするディジタルデータ記録装置。
【請求項２】
データにスクランブルを施して誤り訂正符号を付加し、変調して記録媒体にデータを記録するディジタルデータ記録装置であって、
データを一時的に記憶する記憶手段と、該データのスクランブルを行うスクランブル手段と、スクランブルが行われたデータに誤り訂正符号を付加する誤り訂正符号付加手段と、誤り訂正が付加されたデータを変調する変調手段とを有し、
前記記憶手段として、データのバッファリングを行う第１のメモリと、前記誤り訂正符号付加手段により生成した誤り訂正符号の記憶あるいはデータのインタリーブを行う第２のメモリと、前記第１と第２のメモリ間のデータ転送を行う転送手段とを備え、
誤り訂正符号を２重に付加する場合には、外部から入力されたデータにスクランブルを施して一旦前記第１のメモリに記憶し、前記第１のメモリからデータを読み出して第１の誤り訂正符号付加を行うと同時に第２の誤り訂正符号を前記第２のメモリ上に生成し、生成した第２の誤り訂正符号を前記第１のメモリに転送し、前記第１のメモリから読み出したデータと誤り訂正符号を変調して前記記録媒体に記録し、
誤り訂正符号の付加とインタリーブを行う場合には、外部から入力されたデータにスクランブルを施して一旦前記第１のメモリに記憶し、前記第１のメモリからデータを読み出して誤り訂正符号付加を行い、前記第１のメモリからデータと誤り訂正符号を読み出して前記第２のメモリ上でインタリーブを行い、変調して前記記録媒体に記録することを特徴とするディジタルデータ記録装置。
【請求項３】
データにスクランブルを施して誤り訂正符号を付加し、変調して記録媒体にデータを記録し、該記録媒体からデータを再生するディジタルデータ記録再生装置であって、
データを一時的に記憶する記憶手段と、該データのスクランブルを行うスクランブル手段と、スクランブルが行われたデータに誤り訂正符号を付加する誤り訂正符号付加手段と、誤り訂正が付加されたデータを変調する変調手段と、データを復調する復調手段と、復調したデータの誤りを訂正する誤り訂正手段と、誤り訂正が行われたデータのデスクランブルを行うデスクランブル手段とを有し、
前記記憶手段として、データのバッファリングを行う第１のメモリと、記録時には前記誤り訂正符号付加手段により生成した誤り訂正符号の記憶あるいはデータのインタリーブを行い、再生時にはデータのデインタリーブを行う第２のメモリと、前記第１と第２のメモリ間のデータ転送を行う転送手段とを備え、
誤り訂正符号を２重に付加して記録する場合には、外部から入力されたデータにスクランブルを施して一旦前記第１のメモリに記憶し、前記第１のメモリからデータを読み出して第１の誤り訂正符号付加を行うと同時に第２の誤り訂正符号を前記第２のメモリ上に生成し、生成した第２の誤り訂正符号を前記第１のメモリに転送し、前記第１のメモリから読み出したデータと誤り訂正符号を変調して前記記録媒体に記録し、
誤り訂正符号の付加とインタリーブを行い記録する場合には、外部から入力されたデータにスクランブルを施して一旦前記第１のメモリに記憶し、前記第１のメモリからデータを読み出して誤り訂正符号付加を行い、前記第１のメモリからデータを読み出して前記第２のメモリ上でインタリーブを行い、変調して前記記録媒体に記録し、
誤り訂正符号を２重に付加されたデータを再生する場合には、前記記録媒体から再生されたデータを復調して一旦前記第１のメモリに記憶し、前記第１のメモリからデータを読み出して第１の誤り訂正と第２の誤り訂正を行い、誤り訂正が行われたデータにデスクランブルを施して外部に出力し、
誤り訂正符号の付加とインタリーブが施されたデータを再生する場合には、前記記録媒体から再生されたデータに前記第２のメモリ上でデインタリーブを行い一旦前記第１のメモリに記憶し、前記第１のメモリからデータを読み出して誤り訂正を行い、誤り訂正が行われたデータにデスクランブルを施して外部に出力することを特徴とするディジタルデータ記録再生装置。
【発明の詳細な説明】
【技術分野】
【０００１】
本発明は、メモリを使ったディジタルデータ記録装置および記録再生装置に関し、特にＤＶＤ（Ｄｉｇｉｔａｌ  Ｖｅｒｓａｔｉｌｅ  Ｄｉｓｃ）記録装置および記録再生装置やＢＤ（Ｂｌｕ−ｒａｙ  Ｄｉｓｃ）記録装置および記録再生装置に適用して有効な技術に関するものである。
【背景技術】
【０００２】
光ディスクの代表例であるＤＶＤを記録可能としたものにＤＶＤ−ＲＡＭ、ＤＶＤ−Ｒ等がある。これらの光ディスクの記録再生装置では、ＤＲＡＭ（Ｄｙｎａｍｉｃ  ＲＡＭ）をデータの誤り訂正および誤り訂正符号付加用メモリやバッファメモリとして使用している。また、次世代の光ディスクとしてはＡＯＤ（Ａｄｖａｎｃｅｄ  Ｏｐｔｉｃａｌ  Ｄｉｓｃ）やＢＤ等がある。
【０００３】
例えば、ＤＶＤでは次のような単位で誤り訂正符号が付加されており、データの誤り訂正や誤り訂正符号の付加をメモリ上で行う。ＤＶＤに採用されている誤り訂正符号はＣＤ、ＤＡＴ等でも用いられているＣＩＲＣ（Ｃｒｏｓｓ  Ｉｎｔｅｒｌｅａｖｅ  Ｒｅｅｄ−Ｓｏｌｏｍｏｎ  Ｃｏｄｅ）であり、内符号誤り訂正符号ＰＩ（Ｐａｒｉｔｙ  Ｉｎｎｅｒ）と外符号誤り訂正符号ＰＯ（Ｐａｒｉｔｙ  Ｏｕｔｅｒ）による高い訂正能力を持つ。データは、１バイト単位に区切られ、識別アドレスが付加されてセクタが構成され、１６セクタを集めてマトリックスをなし、列方向のデータには第２の誤り訂正符号であるＰＯ符号が付加され、行方向のデータとＰＯ符号に対し第１の誤り訂正符号であるＰＩ符号が付加されている。１セクタは２ｋバイトのデータを持ち、１６セクタ（３２ｋバイト）のデータと誤り訂正符号ＰＩ、ＰＯで１つの処理ブロックが構成される。
【０００４】
データ再生を行うには、まず光ディスクから再生したデータを復調回路で８／１６復調し、メモリに格納する。次に格納したデータに１ブロック（３２ｋバイト）単位でＰＩ系列、ＰＯ系列それぞれの系列について誤り訂正を行った後、デスクランブルを行う。誤り訂正とデスクランブルの完了したデータはＡＴＡＰＩを介してホストコンピュータに送られる。データ記録を行うには、まずＡＴＡＰＩを介してホストコンピュータから送られたデータをメモリに格納する。次に格納したデータをスクランブルしてから１ブロック単位でＰＩ系列、ＰＯ系列それぞれの系列について誤り訂正符号を付加し、誤り訂正符号付加が完了したデータを変調回路で８／１６変調して光ディスクに記録する。
【０００５】
一方、ＢＤの誤り訂正ブロックは６４ｋバイトのデータを単位に構成されており、このデータに付加されている誤り訂正符号はＲｅｅｄ−Ｓｏｌｏｍｏｎ  Ｃｏｄｅである。データは、１バイト単位に区切られ、データ２１６バイトに対して誤り訂正符号３２バイトが付加される。この２１６＋３２＝２４８バイトをコードワードと呼び、３０４個集めた上でインタリーブが施されて１５２×４９６ＥＣＣブロックが構成される。さらにこのＥＣＣブロックにシンクコードとＢＩＳ（Ｂｕｒｓｔ  Ｉｎｄｉｃａｔｏｒ  Ｓｕｂｃｏｄｅ）と呼ばれる強力な訂正符号付きのデータが埋め込まれている。ＢＩＳにはデータ３０バイトに対して誤り訂正符号３２バイトが付加されており、ＢＤではＢＩＳによりバースト誤りの位置を予知してエラー訂正をすることにより訂正能力を高めている。なお、ＢＩＳのデータ３０バイトには５バイトのアドレス情報と４バイトの誤り訂正符号が含まれている。
【０００６】
データ再生を行うには、まず光ディスクから再生したデータを復調回路で１−７ＰＰ（Ｐａｒｉｔｙ  Ｐｒｅｓｅｒｖｅ）復調してメモリに格納する。次に格納したデータのインタリーブを解いて誤り訂正を行った後、デスクランブルを行う。誤り訂正とデスクランブルの完了したデータはＡＴＡＰＩを介してホストコンピュータに送られる。データ記録を行うには、まずＡＴＡＰＩを介してホストコンピュータから送られたデータをメモリに格納し、スクランブルしてから誤り訂正符号を付加し、誤り訂正符号付加が完了したデータをインタリーブして変調回路で１−７ＰＰ変調し光ディスクに記録する。
【０００７】
ところで、以上のディジタルデータ記録再生装置の低コスト化を図るためには使用するメモリをできるだけ共用する必要がある。そこで、特許文献１では光ディスク記録再生装置の記録系と再生系とでメモリ等の回路要素の共用化を図っている。具体的にはＣＩＲＣ演算用のメモリを記録系と再生系とで共用しており、記録系と再生系の違いはあってもどちらも用途が共通でＣＩＲＣ演算用であるため共用化は図りやすい。一方、用途が共通でないメモリの共有化は図りにくいため、従来ＣＤにはＣＤ専用メモリ、ＤＶＤにはＤＶＤ専用メモリが用意されてきた。
【特許文献１】特開２００２−３１３０１６号公報
【発明の開示】
【発明が解決しようとする課題】
【０００８】
ところで、前記特許文献１ではＣＤのＣＩＲＣ演算用のメモリを記録系と再生系とで共用しているが、今後ＤＶＤとＣＤに加えてさらにＢＤ等の新しいメディアを記録再生するにあたり、各々のメディア毎に専用のメモリを搭載するとコストアップにつながるという問題がある。
【０００９】
そこで、本発明の目的は、上記の課題を解決し、異なるメディアの信号処理においてメモリの共用化を図り、メモリを効率よく使用することができるディジタルデータ記録装置および記録再生装置を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
上記の目的を達成するために、本発明のディジタルデータ記録装置および記録再生装置では以下のような技術手段を採用する。
【００１３】
データを一時的に記憶する記憶手段と、該データのスクランブルを行うスクランブル手段と、スクランブルが行われたデータに誤り訂正符号を付加する誤り訂正符号付加手段と、誤り訂正が付加されたデータを変調する変調手段とを有する。
【００１４】
前記記憶手段として、データのバッファリングを行う第１のメモリと、前記誤り訂正符号付加手段により生成した誤り訂正符号の記憶あるいはデータのインタリーブを行う第２のメモリと、前記第１と第２のメモリ間のデータ転送を行う転送手段を備える。
【００１５】
ＤＶＤのように誤り訂正符号を２重に付加する場合には、外部から入力されたデータにスクランブルを施して一旦前記第１のメモリに記憶し、前記第１のメモリからデータを読み出して第１の誤り訂正符号付加を行うと同時に第２の誤り訂正符号を前記第２のメモリ上に生成し、生成した第２の誤り訂正符号を前記第１のメモリに転送し、前記第１のメモリから読み出したデータと誤り訂正符号を変調して前記記録媒体に記録する。
【００１６】
ＢＤのように誤り訂正符号の付加とインタリーブを行う場合には、外部から入力されたデータにスクランブルを施して一旦前記第１のメモリに記憶し、前記第１のメモリからデータを読み出して誤り訂正符号付加を行い、前記第１のメモリからデータを読み出して前記第２のメモリ上でインタリーブを行い、変調して前記記録媒体に記録する。
【００１７】
さらに、データを復調する復調手段と、復調したデータの誤りを訂正する誤り訂正手段と、誤り訂正が行われたデータのデスクランブルを行うデスクランブル手段とを有し、前記記憶手段としての前記第２のメモリは、データのデインタリーブを行う。
【００１８】
ＤＶＤのように誤り訂正符号を２重に付加されたデータを再生する場合には、前記記録媒体から再生されたデータを復調して一旦前記第１のメモリに記憶し、前記第１のメモリからデータを読み出して第１の誤り訂正と第２の誤り訂正を行い、誤り訂正が行われたデータにデスクランブルを施して外部に出力する。
【００１９】
ＢＤのように誤り訂正符号の付加とインタリーブが施されたデータを再生する場合には、前記記録媒体から再生されたデータに前記第２のメモリ上でデインタリーブを行い一旦前記第１のメモリに記憶し、前記第１のメモリからデータを読み出して誤り訂正を行い、誤り訂正が行われたデータにデスクランブルを施して外部に出力する。
【発明の効果】
【００２０】
本願において開示される発明のうち、代表的なものによって得られる効果を簡単に説明すれば以下のとおりである。
【００２１】
本発明によれば、異なるメディアの信号処理においてメモリの共用化を図り、メモリを効率よく使用することができる。
【発明を実施するための最良の形態】
【００２２】
以下、本発明の実施の形態を図面に基づいて詳細に説明する。なお、実施の形態を説明するための全図において、同一の部材には原則として同一の符号を付し、その繰り返しの説明は省略する。
【００２３】
以下、本発明を、データにスクランブルを施して誤り訂正符号を付加し、変調して記録媒体にデータを記録するディジタルデータ記録装置としての、ＤＶＤおよびＢＤ記録装置に適用した場合の第１、第２、第３の実施例と、データにスクランブルを施して誤り訂正符号を付加し、変調して記録媒体にデータを記録し、該記録媒体からデータを再生するディジタルデータ記録再生装置としての、ＤＶＤおよびＢＤ記録再生装置に適用した場合の第４の実施例とを説明する。
【実施例１】
【００２４】
図１は、本発明の第１の実施例であるＤＶＤおよびＢＤ記録装置の構成を示すブロック図である。
【００２５】
第１の実施例であるＤＶＤおよびＢＤ記録装置は、ＡＴＡＰＩ回路１、ＤＶＤスクランブル（ＳＣＲ）回路２、ＢＤスクランブル回路３、ＤＲＡＭ４、ＤＶＤ誤り訂正符号付加（ＥＣＣ）回路５、ＳＲＡＭ６、ＢＤ誤り訂正符号付加回路７、ＤＶＤ変調（ＭＯＤ）回路８、光ピックアップ（ＰＵ）９、ＢＤインタリーブ（ＩＮＴＬＶ）回路１０、ＢＤ変調回路１１、光ディスク１２等から構成される。
【００２６】
ＡＴＡＰＩ回路１は、ホストコンピュータからＤＶＤスクランブル回路２またはＢＤスクランブル回路３にデータを送る。ＤＶＤスクランブル回路２は、ＡＴＡＰＩ回路１からＤＲＡＭ４にデータを転送する際にデータのスクランブルを行う。ＢＤスクランブル回路３は、ＡＴＡＰＩ回路１からＤＲＡＭ４にデータを転送する際にデータのスクランブルを行う。ＤＲＡＭ４は、データのバッファリングを行う。ＤＶＤ誤り訂正符号付加回路５は、ＤＲＡＭ４からＰＩ系列単位にデータを読み出してＤＲＡＭ４上にＰＩ符号を付加すると同時に、ＰＯ符号のシンドローム演算を行いＳＲＡＭ６上にＰＯ符号を生成する。ＳＲＡＭ６は、ＰＯ符号の記憶、またはインタリーブに使用する。
【００２７】
ＢＤ誤り訂正符号付加回路７は、ＤＲＡＭ４から誤り訂正系列単位にデータを読み出してＤＲＡＭ４上に誤り訂正符号を付加する。ＤＶＤ変調回路８は、ＤＲＡＭ４から送られたデータおよび誤り訂正符号を８／１６変調して光ピックアップ９に送る。ＢＤインタリーブ回路１０は、ＤＲＡＭ４から送られたデータおよび誤り訂正符号をＳＲＡＭ６上でインタリーブしてＢＤ変調回路１１に送る。ＢＤ変調回路１１は、ＢＤインタリーブ回路１０から送られたデータおよび誤り訂正符号を１−７ＰＰ変調して光ピックアップ９に送る。光ピックアップ９は、ＤＶＤ変調回路８から送られた８／１６変調データまたはＢＤ変調回路１１から送られた１−７ＰＰ変調データを光ディスク１２に記録する。なお、ＳＲＡＭ６は１ブロックのＰＯ符号分の容量があれば良い。
【００２８】
ＤＶＤに記録する場合、ＡＴＡＰＩ回路１を介してホストコンピュータから送られたデータはまずＤＶＤスクランブル回路２でスクランブルが行われた後、ＤＲＡＭ４に格納される。ＤＲＡＭ４に格納されたデータはＰＩ系列単位でＤＶＤ誤り訂正符号付加回路５に読み込まれ、ＤＲＡＭ４上にＰＩ符号を書き込むと同時にＰＯ符号のシンドローム演算を行いＳＲＡＭ６上にシンドローム演算結果を書き込む。ＳＲＡＭ６上のシンドローム演算結果はＰＩの１系列が読み込まれる毎に全て書き替わり、最終系列が読み込まれた時にＰＯ符号となる。ＰＯ符号生成が完了したらＳＲＡＭ６からＤＲＡＭ４にＰＯ符号が転送され、ＤＲＡＭ４上にＰＯ符号が書き込まれる。ＤＲＡＭ４のデータと誤り訂正符号はＤＶＤ変調回路８で８／１６変調され、光ピックアップ９を介して光ディスク１２に記録される。
【００２９】
ＢＤに記録する場合、ＡＴＡＰＩ回路１を介してホストコンピュータから送られたデータはまずＢＤスクランブル回路３でスクランブルが行われた後、ＤＲＡＭ４に格納される。ＤＲＡＭ４に格納されたデータは誤り訂正系列単位でＢＤ誤り訂正符号付加回路７に読み込まれ、ＤＲＡＭ４上に誤り訂正符号が書き込まれる。ＤＲＡＭ４のデータと誤り訂正符号はＢＤインタリーブ回路１０に送られ、ＳＲＡＭ６上でインタリーブが行われてＢＤ変調回路１１に送られる。次にＢＤ変調回路１１で１−７ＰＰ変調され、光ピックアップ９を介して光ディスク１２に記録される。
【００３０】
図２は、本発明の第１の実施例であるＤＶＤおよびＢＤ記録装置のＤＶＤ記録動作を示すタイミングチャートである。
【００３１】
ホストコンピュータから送られたデータはスクランブルが行われてブロック０、１、２、…と順次ＤＲＡＭ４に格納される。ブロック０のデータ格納が終了したらＤＲＡＭ４上にＰＩ符号が付加され、同時にＳＲＡＭ６上でＰＯ符号生成が行われる。ブロック０のＰＩ符号付加とＰＯ符号生成が終了したらＰＯ符号はＳＲＡＭ６から読み出されてＤＲＡＭ４に転送される。ブロック０のＰＯ符号がＤＲＡＭ４に転送されたら、ブロック０のデータと誤り訂正符号は変調されて光ディスク１２に記録される。また、ブロック１、２、…のデータについてもスクランブルが行われてＤＲＡＭ４に格納された時点でＤＲＡＭ４上にＰＩ符号が付加され、同時にＳＲＡＭ６上でＰＯ符号生成が行われる。各々のＰＩ符号付加とＰＯ符号生成が終了したらＰＯ符号はＳＲＡＭ６から読み出されてＤＲＡＭ４に転送される。ＤＲＡＭ４に転送されたブロック１、２、…のデータと誤り訂正符号は変調されて光ディスク１２に記録される。
【００３２】
図３は、本発明の第１の実施例であるＤＶＤおよびＢＤ記録装置のＢＤ記録動作を示すタイミングチャートである。
【００３３】
ホストコンピュータから送られたデータはスクランブルが行われてブロック０、１、２、…と順次ＤＲＡＭ４に格納される。ブロック０のデータ格納が終了したらＤＲＡＭ４上に誤り訂正符号が付加される。ブロック０の誤り訂正符号付加が終了したら、ブロック０のデータと誤り訂正符号はＳＲＡＭ６上でインタリーブが行われ、変調されて光ディスク１２に記録される。また、ブロック１、２、…のデータについてもスクランブルが行われてＤＲＡＭ４に格納された時点でＤＲＡＭ４上に誤り訂正符号が付加される。各々の誤り訂正符号付加が終了したら、ブロック１、２、…のデータと誤り訂正符号はＳＲＡＭ６上でインタリーブが行われ、変調されて光ディスク１２に記録される。
【００３４】
以上の構成により本発明の第１の実施例では、ホストコンピュータから送られたデータはスクランブルが行われて順次ＤＲＡＭ４に格納され、第１の誤り訂正符号付加、第２の誤り訂正符号付加またはインタリーブ、変調を施されて光ディスク１２に記録される。第２の誤り訂正符号付加とインタリーブを共通のＳＲＡＭ６上で行い、メモリの共有化を図ることができる。
【実施例２】
【００３５】
図４は、本発明の第２の実施例であるＤＶＤおよびＢＤ記録装置の構成を示すブロック図である。
【００３６】
第２の実施例であるＤＶＤおよびＢＤ記録装置は、前記第１の実施例に対して、ＤＶＤ／ＢＤスクランブル回路１３、ＤＶＤ／ＢＤ変調回路１４、光ピックアップ１５が異なり、他は同様である。
【００３７】
ＤＶＤ／ＢＤスクランブル回路１３は、ＡＴＡＰＩ回路１からＤＲＡＭ４にデータを転送する際にデータのスクランブルを行う。スクランブルはＤＶＤとＢＤに切り替えることができる。ＤＶＤ／ＢＤ変調回路１４は、ＤＲＡＭ４から送られたデータおよび誤り訂正符号を８／１６変調または１−７ＰＰ変調して光ピックアップ１５に送る。変調はＤＶＤとＢＤで８／１６と１−７ＰＰに切り替えることができる。
【００３８】
ＤＶＤに記録する場合、ＡＴＡＰＩ回路１を介してホストコンピュータから送られたデータはまずＤＶＤ／ＢＤスクランブル回路１３でスクランブルが行われた後、ＤＲＡＭ４に格納される。ＤＲＡＭ４に格納されたデータはＰＩ系列単位でＤＶＤ誤り訂正符号付加回路５に読み込まれ、ＤＲＡＭ４上にＰＩ符号を書き込むと同時にＰＯ符号のシンドローム演算を行い、ＳＲＡＭ６上にシンドローム演算結果を書き込む。ＳＲＡＭ６上のシンドローム演算結果はＰＩの１系列が読み込まれる毎に全て書き替わり、最終系列が読み込まれた時にＰＯ符号となる。ＰＯ符号生成が完了したらＳＲＡＭ６からＤＲＡＭ４にＰＯ符号が転送され、ＤＲＡＭ４上にＰＯ符号が書き込まれる。ＤＲＡＭ４のデータと誤り訂正符号はＤＶＤ／ＢＤ変調回路１４で８／１６変調され、光ピックアップ１５を介して光ディスク１２に記録される。
【００３９】
ＢＤに記録する場合、ＡＴＡＰＩ回路１を介してホストコンピュータから送られたデータはまずＤＶＤ／ＢＤスクランブル回路１３でスクランブルが行われた後、ＤＲＡＭ４に格納される。ＤＲＡＭ４に格納されたデータは誤り訂正系列単位でＢＤ誤り訂正符号付加回路７に読み込まれ、ＤＲＡＭ４上に誤り訂正符号が書き込まれる。ＤＲＡＭ４のデータと誤り訂正符号はＢＤインタリーブ回路１０に送られ、ＳＲＡＭ６上でインタリーブが行われてＤＶＤ／ＢＤ変調回路１４に送られる。次にＤＶＤ／ＢＤ変調回路１４で１−７ＰＰ変調され、光ピックアップ１５を介して光ディスク１２に記録される。
【００４０】
以上の構成により本発明の第２の実施例では、ホストコンピュータから送られたデータはスクランブルが行われて順次ＤＲＡＭ４に格納され、第１の誤り訂正符号付加、第２の誤り訂正符号付加またはインタリーブ、変調を施されて光ディスク１２に記録される。第２の誤り訂正符号付加とインタリーブを共通のＳＲＡＭ６上で行い、メモリの共有化を図ることができる。さらに、スクランブル回路と変調回路をＤＶＤ／ＢＤ共有としており、前記第１の実施例に比べて回路の低減を図ることができる。
【実施例３】
【００４１】
図５は、本発明の第３の実施例であるＤＶＤおよびＢＤ記録装置の構成を示すブロック図である。
【００４２】
第３の実施例であるＤＶＤおよびＢＤ記録装置は、前記第２の実施例に対して、ＤＶＤ／ＢＤ誤り訂正符号付加回路１６が異なり、他は同様である。
【００４３】
ＤＶＤ／ＢＤ誤り訂正符号付加回路１６は、ＤＲＡＭ４からＰＩ系列単位にデータを読み出してＤＲＡＭ４上にＰＩ符号を付加すると同時に、ＰＯ符号のシンドローム演算を行いＳＲＡＭ６上にＰＯ符号を生成する。または、ＤＲＡＭ４から誤り訂正系列単位にデータを読み出してＤＲＡＭ４上にＢＤの誤り訂正符号を付加する。
【００４４】
ＤＶＤに記録する場合、ＡＴＡＰＩ回路１を介してホストコンピュータから送られたデータはまずＤＶＤ／ＢＤスクランブル回路１３でスクランブルが行われた後、ＤＲＡＭ４に格納される。ＤＲＡＭ４に格納されたデータはＰＩ系列単位でＤＶＤ／ＢＤ誤り訂正符号付加回路１６に読み込まれ、ＤＲＡＭ４上にＰＩ符号を書き込むと同時にＰＯ符号のシンドローム演算を行い、ＳＲＡＭ６上にシンドローム演算結果を書き込む。ＳＲＡＭ６上のシンドローム演算結果はＰＩの１系列が読み込まれる毎に全て書き替わり、最終系列が読み込まれた時にＰＯ符号となる。ＰＯ符号生成が完了したらＳＲＡＭ６からＤＲＡＭ４にＰＯ符号が転送され、ＤＲＡＭ４上にＰＯ符号が書き込まれる。ＤＲＡＭ４のデータと誤り訂正符号はＤＶＤ／ＢＤ変調回路１４で８／１６変調され、光ピックアップ１５を介して光ディスク１２に記録される。
【００４５】
ＢＤに記録する場合、ＡＴＡＰＩ回路１を介してホストコンピュータから送られたデータはまずＤＶＤ／ＢＤスクランブル回路１３でスクランブルが行われた後、ＤＲＡＭ４に格納される。ＤＲＡＭ４に格納されたデータは誤り訂正系列単位でＤＶＤ／ＢＤ誤り訂正符号付加回路１６に読み込まれ、ＤＲＡＭ４上に誤り訂正符号が書き込まれる。ＤＲＡＭ４のデータと誤り訂正符号はＢＤインタリーブ回路１０に送られ、ＳＲＡＭ６上でインタリーブが行われてＤＶＤ／ＢＤ変調回路１４に送られる。次にＤＶＤ／ＢＤ変調回路１４で１−７ＰＰ変調され、光ピックアップ１５を介して光ディスク１２に記録される。
【００４６】
以上の構成により本発明の第３の実施例では、ホストコンピュータから送られたデータはスクランブルが行われて順次ＤＲＡＭ４に格納され、第１の誤り訂正符号付加、第２の誤り訂正符号付加またはインタリーブ、変調を施されて光ディスク１２に記録される。第２の誤り訂正符号付加とインタリーブを共通のＳＲＡＭ６上で行い、メモリの共有化を図ることができる。さらに、スクランブル回路と変調回路、および誤り符号付加回路をＤＶＤ／ＢＤ共有としており、前記第１、第２の実施例に比べて回路の低減を図ることができる。
【実施例４】
【００４７】
図６は、本発明の第４の実施例であるＤＶＤおよびＢＤ記録再生装置の構成を示すブロック図である。
【００４８】
第４の実施例であるＤＶＤおよびＢＤ記録再生装置は、前記第１、第２、第３の実施例とは異なり、記録機能と再生機能とを兼ね備えた装置である。
【００４９】
第４の実施例であるＤＶＤおよびＢＤ記録再生装置は、ＤＲＡＭ４、ＳＲＡＭ６、ＢＤインタリーブ回路１０、光ディスク１２、ＤＶＤ／ＢＤ変調回路１４、光ピックアップ１７、プリアンプ（Ｐｒｅ−ＡＭＰ）回路１８、ＤＶＤ／ＢＤ復調（ＤＥＭＯＤ）回路１９、ＢＤデインタリーブ（ＤＥＩＮＴＬＶ）回路２０、ＤＶＤ／ＢＤ誤り訂正符号付加および誤り訂正回路２１、ＤＶＤ／ＢＤデスクランブル（ＤＥＳＣＲ）回路２２、ＡＴＡＰＩ回路２３等から構成される。
【００５０】
プリアンプ回路１８は、光ピックアップ１７から出力された再生信号を増幅してＤＶＤ／ＢＤ復調回路１９に送る。ＤＶＤ／ＢＤ復調回路１９は、プリアンプ回路１８で増幅された再生信号を８／１６復調または１−７ＰＰ復調してＤＲＡＭ４またはＢＤデインタリーブ回路２０に送る。復調はＤＶＤとＢＤで８／１６と１−７ＰＰに切り替えることができる。ＢＤデインタリーブ回路２０は、ＤＶＤ／ＢＤ復調回路１９で１−７ＰＰ復調されたデータのインタリーブを解く。
【００５１】
ＤＶＤ／ＢＤ誤り訂正符号付加および誤り訂正回路２１は、ＤＶＤ記録時にはＤＲＡＭ４からＰＩ系列単位にデータを読み出してＤＲＡＭ４上にＰＩ符号を付加すると同時に、ＰＯ符号のシンドローム演算を行いＳＲＡＭ６上にＰＯ符号を生成する。ＢＤ記録時にはＤＲＡＭ４から誤り訂正系列単位にデータを読み出してＤＲＡＭ４上にＢＤの誤り訂正符号を付加する。ＤＶＤ再生時にはＤＲＡＭ４からＰＩ系列単位、ＰＯ系列単位にデータを読み出して誤り訂正を行う。ＢＤ再生時にはＤＲＡＭ４から誤り訂正系列単位にデータを読み出して誤り訂正を行う。
【００５２】
ＤＶＤ／ＢＤデスクランブル回路２２は、ＤＲＡＭ４のデータのスクランブルを解きＡＴＡＰＩ回路２３に送る。ＡＴＡＰＩ回路２３は、ホストコンピュータから送られたデータをＤＶＤ／ＢＤスクランブル回路１３に送る。あるいはＤＶＤ／ＢＤデスクランブル回路２２から送られたデータをホストコンピュータに送る。
【００５３】
ＤＶＤに記録する場合、ＡＴＡＰＩ回路２３を介してホストコンピュータから送られたデータはまずＤＶＤ／ＢＤスクランブル回路１３でスクランブルが行われた後、ＤＲＡＭ４に格納される。ＤＲＡＭ４に格納されたデータはＰＩ系列単位でＤＶＤ／ＢＤ誤り訂正符号付加および誤り訂正回路２１に読み込まれ、ＤＲＡＭ４上にＰＩ符号を書き込むと同時にＰＯ符号のシンドローム演算を行いＳＲＡＭ６上にシンドローム演算結果を書き込む。ＳＲＡＭ６上のシンドローム演算結果はＰＩの１系列が読み込まれる毎に全て書き替わり、最終系列が読み込まれた時にＰＯ符号となる。ＰＯ符号生成が完了したらＳＲＡＭ６からＤＲＡＭ４にＰＯ符号が転送され、ＤＲＡＭ４上にＰＯ符号が書き込まれる。ＤＲＡＭ４のデータと誤り訂正符号はＤＶＤ／ＢＤ変調回路１４で８／１６変調され、光ピックアップ１７を介して光ディスク１２に記録される。
【００５４】
ＢＤに記録する場合、ＡＴＡＰＩ回路２３を介してホストコンピュータから送られたデータはまずＤＶＤ／ＢＤスクランブル回路１３でスクランブルが行われた後、ＤＲＡＭ４に格納される。ＤＲＡＭ４に格納されたデータは誤り訂正系列単位でＤＶＤ／ＢＤ誤り訂正符号付加および誤り訂正回路２１に読み込まれ、ＤＲＡＭ４上に誤り訂正符号が書き込まれる。ＤＲＡＭ４のデータと誤り訂正符号はＢＤインタリーブ回路１０に送られ、ＳＲＡＭ６上でインタリーブが行われてＤＶＤ／ＢＤ変調回路１４に送られる。次にＤＶＤ／ＢＤ変調回路１４で１−７ＰＰ変調され、光ピックアップ１７を介して光ディスク１２に記録される。
【００５５】
ＤＶＤを再生する場合、光ピックアップ１７を介して光ディスク１２から再生した再生信号はプリアンプ回路１８で増幅されてＤＶＤ／ＢＤ復調回路１９に送られ、８／１６復調されてＤＲＡＭ４に格納される。次にＤＲＡＭ４からＰＩ系列単位にデータを読み出されて誤り訂正が行われ、続いてＰＯ系列単位にデータを読み出して誤り訂正が行われる。誤り訂正が完了したデータはＤＶＤ／ＢＤデスクランブル回路２２でスクランブルが解かれてＡＴＡＰＩ回路２３を介してホストコンピュータに送られる。
【００５６】
ＢＤを再生する場合、光ピックアップ１７を介して光ディスク１２から再生した再生信号はプリアンプ回路１８で増幅されてＤＶＤ／ＢＤ復調回路１９に送られ、１−７ＰＰ復調されてＢＤデインタリーブ回路２０に送られる。ＢＤデインタリーブ回路２０に送られた１−７ＰＰ復調データはＳＲＡＭ６上でインタリーブが解かれ、ＤＲＡＭ４に格納される。次にＤＲＡＭ４から誤り訂正系列単位にデータを読み出されて誤り訂正が行われる。誤り訂正が完了したデータはＤＶＤ／ＢＤデスクランブル回路２２でスクランブルが解かれてＡＴＡＰＩ回路２３を介してホストコンピュータに送られる。
【００５７】
以上の構成により本発明の第４の実施例では、ホストコンピュータから送られたデータはスクランブルが行われて順次ＤＲＡＭ４に格納され、第１の誤り訂正符号付加、第２の誤り訂正符号付加またはインタリーブ、変調を施されて光ディスク１２に記録される。また、光ディスク１２から再生したデータは復調されて順次ＤＲＡＭ４に格納される。または復調されてインタリーブが解かれてから順次ＤＲＡＭ４に格納される。ＤＲＡＭ４に格納されたデータは誤り訂正が行われ、スクランブルが解かれてホストコンピュータに送られる。第２の誤り訂正符号付加とインタリーブ、デインタリーブを共通のＳＲＡＭ６上で行い、メモリの共有化を図ることができる。
【００５８】
なお、上記各実施例では、本発明をＤＶＤ／ＢＤ記録装置あるいは記録再生装置に適用した場合を例として説明したが、本発明は上記各実施例に限定されるものではなく、その主旨を逸脱しない範囲で種々に変形して実施することができるものである。
【産業上の利用可能性】
【００５９】
本発明は、メモリを使ったディジタルデータ記録装置および記録再生装置に関し、特にＤＶＤおよびＢＤ記録装置やＤＶＤおよびＢＤ記録再生装置に適用して好適である。
【図面の簡単な説明】
【００６０】
【図１】本発明の第１の実施例のディジタルデータ記録装置（ＤＶＤおよびＢＤ記録装置）の構成を示すブロック図である。
【図２】本発明の第１の実施例のディジタルデータ記録装置の動作（ＤＶＤ記録動作）を示すタイミングチャートである。
【図３】本発明の第１の実施例のディジタルデータ記録装置の動作（ＢＤ記録動作）を示すタイミングチャートである。
【図４】本発明の第２の実施例のディジタルデータ記録装置（ＤＶＤおよびＢＤ記録装置）の構成を示すブロック図である。
【図５】本発明の第３の実施例のディジタルデータ記録装置（ＤＶＤおよびＢＤ記録装置）の構成を示すブロック図である。
【図６】本発明の第４の実施例のディジタルデータ記録再生装置（ＤＶＤおよびＢＤ記録再生装置）の構成を示すブロック図である。
【符号の説明】
【００６１】
１…ＡＴＡＰＩ回路、２…ＤＶＤスクランブル回路、３…ＢＤスクランブル回路、４…ＤＲＡＭ、５…ＤＶＤ誤り訂正符号付加回路、６…ＳＲＡＭ、７…ＢＤ誤り訂正符号付加回路、８…ＤＶＤ変調回路、９…光ピックアップ、１０…ＢＤインタリーブ回路、１１…ＢＤ変調回路、１２…光ディスク、１３…ＤＶＤ／ＢＤスクランブル回路、１４…ＤＶＤ／ＢＤ変調回路、１５…光ピックアップ、１６…ＤＶＤ／ＢＤ誤り訂正符号付加回路、１７…光ピックアップ、１８…プリアンプ回路、１９…ＤＶＤ／ＢＤ復調回路、２０…ＢＤデインタリーブ回路、２１…ＤＶＤ／ＢＤ誤り訂正符号付加および誤り訂正回路、２２…ＤＶＤ／ＢＤデスクランブル回路、２３…ＡＴＡＰＩ回路。
【図１】
2006164377.tif 000003
【図２】
2006164377.tif 000004
【図３】
2006164377.tif 000005
【図４】
2006164377.tif 000006
【図５】
2006164377.tif 000007
【図６】
2006164377.tif 000008